(57)【要約】吸収性衛生用品を生産する方法であって、互いに平行な二つの長手方向端縁部（１０ａ，１０ｂ）を有している少なくとも第一の連続的な材料のウェブ（１０）と第二の連続的な材料のウェブ（２０）とを準備する工程と、第一ウェブ（１０）を、一つずつ配置される複数の部分（１１，１２，１３，１４）に分割するよう、切断する工程と、部分（１１，１２，１３，１４）のうちの少なくともいくつかの部分を回転させておよび／または移動させて、該少なくともいくつかの部分を複数のペアへと関連付けて複数のペアの部分（１８，１９）を構成する工程と、部分（１１，１２，１３，１４）を第二ウェブ（２１）に接続する工程と、を含む吸収性衛生用品を生産する方法を開示する。それぞれが互いに異なる向きとなるとともに、それぞれが互いに平行な第一辺（１１ａ，１２ａ，１３ａ，１４ａ）および第二辺（１１ｂ，１２ｂ，１３ｂ，１４ｂ）を有しており、第一ウェブ（１０）の長手方向端縁部（１０ａ，１０ｂ）の一部を構成している、順に向きを変える一連の第一部分（１１）と第二部分（１２）と第三部分（１３）と第四部分（１４）とを第一ウェブ（１０）に、形成するよう、切断工程は実行される。【選択図】図１
2017528192.tif 000002
【特許請求の範囲】
【請求項１】
吸収性衛生用品を生産する方法であって、
互いに平行な長手方向端縁部（１０ａ，１０ｂ）を有する少なくとも一つの連続的な材料のウェブ（１０）を準備する工程と、
少なくとも一つの第二の連続的な材料のウェブ（２１）を準備する工程と、
前記第一ウェブ（１０）を、一つずつ配置される複数の部分（１１，１２，１３，１４）に分割するよう、切断する工程と、
前記部分（１１，１２，１３，１４）のうちの少なくともいくつかの部分を回転させておよび／または移動させて、前記少なくともいくつかの部分をペアに関連づけて複数のペアの部分（１８，１９）を構成する工程と、
前記部分（１１，１２，１３，１４）を前記第二ウェブ（２１）に接続する工程と、
を含む方法において、
それぞれが互いに異なる向きとなるとともに、それぞれが互いに平行であり前記第一ウェブ（１０）の前記長手方向端縁部（１０ａ，１０ｂ）の一部を構成している第一辺（１１ａ，１２ａ，１３ａ，１４ａ）および第二辺（１１ｂ，１２ｂ，１３ｂ，１４ｂ）を有しており、順に向きを変える一連の、形状が直角を有する台形である第一部分（１１）と第二部分（１２）と第三部分（１３）と第四部分（１４）とを前記第一ウェブ（１０）に形成するよう、前記切断工程は、前記接続工程の前に完全に実行され、
前記第一辺（１１ａ，１２ａ，１３ａ，１４ａ）は前記第二辺（１１ｂ，１２ｂ，１３ｂ，１４ｂ）より短い方法。
【請求項２】
請求項１に記載の方法において、前記第一部分（１１）および前記第二部分（１２）と、前記第三部分（１３）および前記第四部分（１４）と、によって、前記第一ウェブ（１０）に、互いに対して１８０°ずれている一ペアの略二等辺台形（１６ａ，１６ｂ）が構成される方法。
【請求項３】
請求項２に記載の方法において、前記部分（１１，１２，１３，１４）はすべて、前記第一部分（１１）を前記第二部分（１２）に、前記第三部分（１３）を前記第四部分（１４）に接続する第三辺（１１ｄ，１２ｄ，１３ｄ，１４ｄ）を有しており、
前記第三辺（１１ｄ，１２ｄ，１３ｄ，１４ｄ）は、前記それぞれの略二等辺台形（１６ａ，１６ｂ）の対称軸を構成している方法。
【請求項４】
請求項１から３のいずれかに記載の方法において、前記部分（１１，１２，１３，１４）のうちの少なくともいくつかの部分を回転させるおよび／または移動させる前記工程は、第一ペア（１８）の部分を構成するよう、それぞれの第一辺（１１ａ，１２ａ）または第二辺（１１ｂ，１２ｂ）が互いに向かい合うまたは接触するように、それぞれの第一部分（１１）と第二部分（１２）との間における１８０°の相対的な回転を含んでいる方法。
【請求項５】
請求項４に記載の方法において、前記部分（１１，１２，１３，１４）のうちの少なくともいくつかの部分を回転させるおよび／または移動させる前記工程は、第二ペア（１９）の部分を構成するよう、それぞれの第一辺（１３ａ，１４ａ）または第二辺（１３ｂ，１４ｂ）が互いに向かい合うまたは接触するように、それぞれの第三部分（１３）と第四部分（１４）との間における１８０°の相対的な回転を含んでいる方法。
【請求項６】
請求項４または５に記載の方法において、前記第一部分（１１）と前記第二部分（１２）との間、および前記第三部分（１３）と前記第四部分（１４）との間、の１８０°の相対的な回転の前記工程は、
前記第一辺（１１ａ，１２ａ，１３ａ，１４ａ）を互いに接触させることと、
その次にまたは同時に、前記第一部分（１１）の前記第一辺（１１ａ）を前記第二部分（１２）の前記第一辺（１２ａ）に、そして前記第三部分（１３）の前記第一辺（１３ａ）を前記第四部分（１４）の前記第一辺（１４ａ）に、拘束手段（２０）を用いて固定することと、
を含んでいる方法。
【請求項７】
請求項６に記載の方法において、前記拘束手段（２０）は、接着剤の層によってまたは熱溶着によって形成される方法。
【請求項８】
請求項６または７に記載の方法において、前記第一ペア（１８）の部分および前記第二ペア（１９）の部分を前記第二ウェブ（２１）に接続する前記工程は、
それぞれのペア（１８）の部分を、それぞれのペア（１８，１９）の前記部分の前記第二辺（１１ｂ，１２ｂ，１３ｂ，１４ｂ）が前記第二ウェブ（２１）に対して横方向に突出するよう、前記第二ウェブ（２１）の第一面（２１ａ）に載置する副工程と、
前記第二辺（１１ｂ，１２ｂ，１３ｂ，１４ｂ）を、前記第一面（２１ａ）とは反対の、前記第二ウェブ（２１）の第二面（２１ｂ）へと、それらを接触するように折り畳む副工程と、
前記第二辺（１１ｂ，１２ｂ，１３ｂ，１４ｂ）を前記第二ウェブ（２１）の前記第二面（２１ｂ）へと連結する副工程と、
を含んでいる方法。
【請求項９】
請求項８に記載の方法において、前記部分の前記第二辺（１１ｂ，１２ｂ，１３ｂ，１４ｂ）を前記第二面（２１ｂ）へと連結する前記工程以降に実行される、第三の連続的なウェブ（２２）を前記第二ウェブ（２１）の前記第二面（２１ｂ）に接触させるとともに連結させる工程を含む方法。
【請求項１０】
請求項１から９のいずれかに記載の方法において、前記第一部分（１１）と前記第二部分（１２）の間の１８０°の相対的な回転は、前記第三部分（１３）と前記第四部分（１４）との間の１８０°の相対的な回転とは反対の回転方向に実行される方法。
【請求項１１】
請求項１から１０のいずれかに記載の方法において、共通の中間軸に沿って前記第一ペア（１８）の部分と前記第二ペア（１９）の部分との間で整列を行う工程を含む方法。
【請求項１２】
請求項１１に記載の方法において、前記整列工程は、前記第一ペア（１８）の部分および／または前記第二ペア（１９）の部分を、前記第一ウェブ（１０）の延設の長手方向軸に対して垂直な方向に沿って移動させることによって実行される方法。
【請求項１３】
請求項１から１２のいずれかに記載の方法において、
それぞれの第一部分（１１）は、前記第一部分（１１）が位置する関連平面内において測定される角度としての向きが、前記第二部分（１２）と前記第三部分（１３）と前記第四部分（１４）とは異なっており、
それぞれの第二部分（１２）は、前記第二部分（１２）が位置する関連平面内において測定される角度としての向きが、前記第一部分（１１）と前記第三部分（１３）と前記第四部分（１４）とは異なっており、
それぞれの第三部分（１３）は、前記第三部分（１３）が位置する関連平面内において測定される角度としての向きが、前記第一部分（１１）と前記第二部分（１２）と前記第四部分（１４）とは異なっており、
それぞれの第四部分（１４）は、前記第四部分（１４）が位置する関連平面内において測定される角度としての向きが、前記第一部分（１１）と前記第二部分（１２）と前記第三部分（１３）とは異なっている方法。
【発明の詳細な説明】
【技術分野】
【０００１】
本発明は、吸収性衛生用品を生産する方法に関する。
【０００２】
このため、本発明は、自動化機械の分野、特に使い捨てのナプキン(disposable nappies)または乳幼児用もしくは成人用の使い捨てタイプの失禁パッド(pad)などの吸収性衛生用品の生産のための自動化機械の分野に適用可能である。
【背景技術】
【０００３】
従来技術において、吸収性衛生用品を生産するための種々の方法が、特に、例えば止着フラップなどの別の付属要素を主要部（すなわち用品の吸収部（すなわちコア））に連結するための種々の方法が、知られている。
【０００４】
なお、近年、生産ラインの設計に関して、処理の最中に実行される多くの切断動作によって生じる廃棄材料を最大限に低減できるよう、技術の開発が盛んに行われていることを記載しておく。
【０００５】
この点に関して、多くの特許公報において、弾性材料の二つ以上のウェブから、交互に向きを変えて互いに貫き合っている(interpenetrating)幾何学的形状を有するウェブのピースを形成するために切断を行うプロセスが記載されている。
【０００６】
こうして、ピースを、適当な回転または平行移動の後に、廃棄物が生じないようそしてまた吸収用品の「脚用開口部(leg opening)」が形成されるよう、支持用ウェブ（シャシー）に直接貼り付けることができる。
【０００７】
例えば、欧州特許出願公開第１９４１８５３号明細書（ＥＰ１９４１８５３）には、順に向きを変える一連の台形形状の第一ピースおよび第二ピースへと分割されるよう切断された、弾性材料の一ペアの平行なウェブからフラップを形成する吸収性衛生用品を製造する方法が記載されている。
【０００８】
より詳細には、第一ウェブのピースは第二ウェブのピースの鏡像である。
【０００９】
両方のウェブの第一ピースは互いに向かい合っている長い底(larger base)を有しており、第二ピースにおいては、短い底(smaller base)が互いに向かい合っている。
【００１０】
フラップを正しい向きに（すなわち長い底が互いに向き合うよう）貼り付けるために、方法は、例えばピース（すなわちフラップ）を連続的な支持用ウェブに直接貼り付けることができるよう、向きが同じである順序付けられた一連のペアのピースを構成するように、両方のウェブの第二ピースのそれぞれを１８０°回転させる工程を含んでいる。
【００１１】
二つのウェブを同じように、鏡像ではなく、つまり第一ウェブのピースのそれぞれの短い底が対応する第二ウェブのピースの長い底に面するよう、切断するさらなる解決法が、欧州特許出願公開第１９９４９１９号明細書（ＥＰ１９９４９１９）から知られている。
【００１２】
言い換えれば、それぞれのウェブは、長い底が他方のウェブに向いている複数の第一ピースと、短い底が他方のウェブに向いている複数の第二ピースと、を有する。
【００１３】
フラップを正しい向きに向けるために、方法は、上述した方法とは異なり交互にではあるが、回転後には、同様に向きが同じである整列された一連のペアのピースを構成する、両方のウェブの第二ピースをすべて回転させる工程を含む。
【００１４】
上述した解決法は両方ともに、従来技術において知られている他の同様なものと同じく、所定の向きに向ける一ペアのフラップを構成するための少なくとも二つの材料のウェブを要することに関係する欠点がある。
【００１５】
さらに、上述した吸収性衛生用品は、互いに反対に向いており一般的に別々の材料として形成される二ペアのフラップを主として必要とすることを記載しておく。
【００１６】
この点から、従来技術方法では、メーカーにとっては、それぞれが適当なローラまたはドラムによってコントロールされる少なくとも四つの供給ウェブを有する生産ラインが必要となり、ラインの構造が相当複雑になり、そのため、生産ラインは費用がかかるものとなり大きさが大きくなってしまう（加えて故障が起こりやすくなる）ことは明白である。
【発明の概要】
【００１７】
このため、本発明の目的は、従来技術の上述の欠点を克服することができる吸収性衛生用品を生産する方法を提供することにある。
【００１８】
より具体的には、本発明の目的は、支持用のウェブに（すなわちシャシーに）フラップを貼り付けるために必要なウェブの数を最大限に低減できる、吸収性衛生用品を生産する方法を提供することにある。
【００１９】
さらに、本発明の目的は、従来技術生産ラインおいても実現することが簡単かつ容易である吸収性衛生用品を生産する方法を提供することにある。
【００２０】
これらの目的は、添付の特許請求の範囲の一以上の請求項に記載した吸収性衛生用品を生産する方法によって達成される。特に、方法は、
互いに平行な長手方向端縁部を有する少なくとも一つの連続的な材料のウェブを準備する工程と、
互いに平行な長手方向端縁部を有する少なくとも一つの第二の連続的な材料のウェブを準備する工程と、
第一ウェブを、一つずつ配置される複数の部分に分割するよう、切断する工程と、
部分のうちの少なくともいくつかの部分を回転させておよび／または移動させて、該少なくともいくつかの部分をペアに関連づけて一連のペアの部分を構成する工程と、
部分（好ましくはペアの部分）を第二ウェブに接続する工程と、
を含む。
【００２１】
発明の一の面では、順に向きを変える一連の第一部分と第二部分と第三部分と第四部分とを第一ウェブに形成するよう、切断工程は、接続工程の以前に完全に実行される。切断工程においては、第一部分と第二部分と第三部分と第四部分とは、それぞれが互いに異なる向きとなっている。切断工程においては、第一部分と第二部分と第三部分と第四部分とは、互いに平行である、第一ウェブの長手方向端縁部の一部を構成している第一辺および第二辺を有する。
【００２２】
言い換えれば、第一ウェブは、それぞれが第一部分と第二部分と第三部分と第四部分との連なりによって構成される、一回りの順序に相当する部分へと分割されるよう切断される。
【００２３】
上述した方法によって、単一の材料ウェブ、好ましくは弾性材料の単一のウェブから、（向きが同じであるまたは反対である）順序づけられた一回りの順序に相当するペアの部分を生産できる利点がある。
【００２４】
これにより、生産ラインの構造が大幅に簡単化にされ、必要なドラムの数が半減され、またはそれらの軸方向の延設が少なくとも制限され、占有空間および慣性（したがって生産速度）の点から顕著な利点が得られる。
【００２５】
好適には、本発明にかかる方法は、適当な回転および／または移動の後に、一回りの順序に相当するペアの部分(a sequence of pairs of portions)を同じ向きに向けるまたは交互に向きを変える(alternating orientations)ことができるよう、（弾性材料の）ウェブを四つのタイプの異なる部分（すなわち、四つのタイプの異なる部分のそれぞれはそれ自身に特有の向きに向けられている）に分割する工程を含んでいる。
【００２６】
言い換えれば、連結可能なペア状の四つの個別の部分にウェブを分割することによって、本方法は、ラインと製品の設計に最大限の汎用性および柔軟性を与えることができる。
【００２７】
好ましくは、すべての部分は同じ幾何的構造を有しており、すべての部分のそれぞれはその前の部分に対して鏡像であって、次の部分に対して１８０°ひっくり返っている、またはその前の部分に対して１８０°ひっくり返っており、次の部分に対して鏡像である。
【００２８】
こうして、ウェブの平面内において実行される、簡単な回転または移動動作を用いて、それら部分を、それぞれの部分に関して、同じ向きにまたは反対向き向けることができる二ペアの部分を構成するよう、連結することができる。
【００２９】
これにより、有利なことに、生産ラインが単一の生産ラインのみであるにもかかわらず、複数の組み合わせのフラップを、したがって異なるタイプの複数の商品を生産することができる。
【図面の簡単な説明】
【００３０】
さらなるの特徴および利点は、以下の添付図面を参照して、吸収性衛生用品を生産する方法の好ましいが限定するものではない例示的な実施形態の説明からより明らかとなろう。
【００３１】
図１は、本発明にかかる吸収性衛生用品を生産する方法の切断工程を概略的に示す。
【００３２】
図２ａと図２ｂと図２ｃとは、それぞれ、本発明にかかる方法の第一実施形態にかかるそれぞれの変化を形成する一連の工程を示す。
【００３３】
図３は、図２ａ〜図２ｃの両方の実施形態にかかる位置決め工程を示す。
【００３４】
図４ａおよび図４ｂは、図３の位置決め工程の結果を示す。
【００３５】
図５は、図２ａ〜図２ｃの両方の実施形態にかかる接続工程を実現するよう設計された装置の概略的な側面図を示す。
【００３６】
図６ａと図６ｂと図６ｃとは、それぞれ本発明にかかる方法の第二実施形態にかかるそれぞれの変化を行う一連の工程を示す。
【００３７】
図７は、図６ａ、図６ｂおよび図６ｃの工程の後の工程を示す。
【００３８】
図８は、本発明にかかる吸収性衛生用品を生産する方法の第三実施形態にかかる一連の工程である。
【００３９】
図９は、図８の工程の後の工程を示す。
【００４０】
図１０は、本発明にかかる方法によって生産される吸収性衛生用品を示す。
【発明を実施するための形態】
【００４１】
添付の図面を参照して、符号１は、本発明にかかる方法によって生産される、図１０に概略的に例示の吸収性衛生用品を示す。
【００４２】
より具体的には、本明細書においては語「吸収性衛生用品」は、中央吸収性部分と複数の側部付属要素とが備えられた赤ちゃんや幼児用のおむつ（ナプキン(nappy)）、または成人用の失禁パッド、または下着を構成するものとして用いられる。
【００４３】
付属要素は好ましくはフラップすなわち弾性的な止着(closing)要素である。
【００４４】
吸収用品１は、長手方向軸「Ａ」に沿って延設される略矩形形状を有する。
【００４５】
吸収用品１は、軸「Ａ」に沿った線上に、前部２と中央部３と後部４とを備える。
【００４６】
吸収用品１は、通常セルロース繊維から形成され、柔らかい収容材の内側に配置される内部吸収性のパッド（パディング(padding)）を備える。収容材は、一方が不織布の透過性シートすなわちトップシート(tope sheet)で構成されており、他方がポリエチレンの非浸透性シートすなわち裏面シートで構成されている。
【００４７】
中央部３に、吸収用品１は、軸「Ａ」に対して対称的な二つのアーチ状延設部（ストレッチ）によって形成される凹部５（すなわち脚用開口部）を備える。
【００４８】
この点に関して、吸収用品１はまた、軸「Ａ」に対して交差する方向に延設される一ペアの付属要素６（すなわちフラップ）を有する。より具体的には、側部のフラップ６は、吸収用品１の後部４から延設され、使用時には、着用者の臀部の周囲を吸収用品１が包むために、前部２のそれぞれの固定領域上に配置されるよう設計されている。
【００４９】
側部フラップ６は、概して、連続的なウェブ１０の部分１１，１２，１３，１４から構成され、好ましくは、接着物質で部分的に覆われている面を有する、または他の素早く固定できる手段を備える。
【００５０】
本発明にかかる方法は、少なくとも、材料の、好ましくは吸収性衛生用品１の個々の付属要素６を構成するよう用いられるのに適した材料の、第一の連続的なウェブ１０を準備することを含む。
【００５１】
ウェブ１０は、互いに平行な二つの長手方向端縁部１０ａ，１０ｂを有し、それぞれの引き出し方向（すなわち動作方向「Ｂ」）に沿って延設される。
【００５２】
そして、第一ウェブ１０は、一つずつ配置される複数の部分１１，１２，１３，１４に分割するよう、切断される。
【００５３】
部分１１，１２，１３，１４はそれぞれ、衛生用品１のフラップ６（すなわち個々の付属要素）を構成するよう形成される。
【００５４】
部分１１，１２，１３，１４はそれぞれ、略台形であり、互いに反対側にそして平行に配置される第一辺(side)（すなわち短い底(base)）１１ａ，１２ａ，１３ａ，１４ａと第二辺（すなわち長い底）１１ｂ，１２ｂ，１３ｂ，１４ｂとを有する。これらの辺は、用品１の脚用開口部５を形成する少なくとも斜辺１１ｃ、１２ｃ、１３ｃ、１４ｃで互いに接続されている。
【００５５】
なお、好ましくは、第一辺１１ａ，１２ａ，１３ａ，１４ａおよび第二辺１１ｂ，１２ｂ，１３ｂ，１４ｂはそれぞれ、第一ウェブ１０の第一長手方向端縁部１０ａまたは第二長手方向端縁部１０ｂの一部を構成していることを記載しておく。
【００５６】
本発明の一の面では、それぞれが互いに異なる向きとなる、順に向きを変える一連の、第一部分１１と第二部分１２と第三部分１３と第四部分１４とを第一ウェブ１０に形成するよう、切断工程が実行される。
【００５７】
第一部分１１と第二部分１２と第三部分１３と第四部分１４はそれぞれ、互いに平行な第一辺１１ａ，１２ａ，１３ａ，１４ａと第二辺１１ｂ，１２ｂ，１３ｂ，１４ｂとを有する。
【００５８】
なお、「順に向きを変える一連の(alternating succession)」という表現は、同じタイプの二つの部分１１，１２，１３，１４が他の三つのタイプの部分を間に挟んで再び形成されることを意味することを記載しておく。
【００５９】
したがって、例示として、二つの第一部分１１が互いに、第二部分１２と第三部分１３と第四部分１４とによって離間されている。
【００６０】
第二部分１２と第三部分１３と第四部分１４とに関しても同様に考えることができる。
【００６１】
このように、それぞれのタイプの部分１１，１２，１３，１４の順序が一定であるので、順に向きを変える一連のものは順序付けられたタイプである。
【００６２】
言い換えれば、第一ウェブ１０は、それぞれが第一部分と第二部分と第三部分と第四部分との順序付けられた連なりによって構成される、一回りの順序に相当する部分１５へと分割されるよう切断される。
【００６３】
好ましくは、すべての部分１１，１２，１３，１４は同じ幾何的構造を有しており、すべての部分１１，１２，１３，１４のそれぞれはその前の部分に対して鏡像であって、次の部分に対して第一ウェブ１０の平面内において１８０°ひっくり返っている、またはその前の部分に対して１８０°ひっくり返っており、次の部分に対して鏡像である。
【００６４】
部分は、実質的に等しく、それぞれのタイプ間の差異はその向きによって定義される。
【００６５】
より具体的には、それぞれの第一部分１１は、該第一部分１１が位置する平面内において測定される角度としての向きが、第二部分１２と第三部分１３と第四部分１４とは異なっている。
【００６６】
それぞれの第二部分１２は、該第二部分１２が位置する平面内において測定される角度としての向きが、第一部分１１と第三部分１３と第四部分１４とは異なっている。
【００６７】
それぞれの第三部分１３は、該第三部分１３が位置する平面内において測定される角度としての向きが、第一部分１１と第二部分１２と第四部分１４とは異なっている。
【００６８】
それぞれの第四部分１４は、該第四部分１４が位置する平面内において測定される角度としての向きが、第一部分１１と第二部分１２と第三部分１３とは異なっている。
【００６９】
好ましくは、上述した通り、第一辺１１ａ，１２ａ，１３ａ，１４ａは第二辺１１ｂ，１２ｂ，１３ｂ，１４ｂより短い。
【００７０】
より具体的には、不要品(rejects)（すなわち廃棄するもの）をなくして用品１を生産できるよう、好ましくは、部分１１，１２，１３，１４は、形状が直角を有する台形である。
【００７１】
言い換えれば、第一辺１１ａ，１２ａ，１３ａ，１４ａ、第二辺１１ｂ，１２ｂ，１３ｂ，１４ｂおよび斜辺１１ｃ，１２ｃ，１３ｃ，１４ｃに加えて、部分は、第一辺１１ａ，１２ａ，１３ａ，１４ａと第二辺１１ｂ，１２ｂ，１３ｂ，１４ｂとに対して直角である第三辺１１ｄ，１２ｄ，１３ｄ，１４ｄを有する。
【００７２】
つまり、第三辺１１ｄ，１２ｄ，１３ｄ，１４ｄは動作方向「Ｂ」に対して垂直方向に向いている。
【００７３】
好ましくは、第三辺１１ｂ，１２ｂ，１３ｂ，１４ｂは、それぞれの第一部分１１を第二部分１２に、そしてそれぞれの第三部分１３を第四部分１４に接続する。
【００７４】
なお、それぞれの部分１５は、動作方向「Ｂ」に対して対称的である部分と、第三辺１１ｄ，１２ｄ，１３ｄ，１４ｄに対して対称的である部分と、それに対して１８０°ひっくり返された部分と、を備えることを記載しておく。
【００７５】
例えば例示の実施形態においては、
第二部分１２は、第三辺１１ｃに対して第一部分１１と対称的であり、
第三部分１３は、動作方向「Ｂ」に対して第一部分１１と対称的であり、
第四部分１４は、１８０°ひっくり返された第一部分１１に相当する。
【００７６】
単一の部分１５における部分１１，１２，１３，１４のそれぞれに関しても同様に考えることができる。
【００７７】
こうして、第一部分１１および第二部分１２は、第一ウェブ１０に、第一の二等辺台形１６ａを構成する。
【００７８】
したがって、互いに隣接する第一部分および第二部分の第三辺１１ｄ，１２ｄは、第一の二等辺台形１６ａの対称軸をなす。
【００７９】
同様に、第三部分１３および第四部分１４は、第一ウェブ１０に、第二の二等辺台形１６ｂを構成する。
【００８０】
互いに隣接する第三部分および第四部分の第三辺１３ｄ，１４ｄは、第二の二等辺台形１６ｂの対称軸をなす。
【００８１】
より具体的には、第一部分１１および第二部分１２と、第三部分１３および第四部分１４と、によって、第一ウェブ１０に、互いに１８０°ずれている（すなわち回転している）一ペアの略二等辺台形１６ａ，１６ｂが構成される。
【００８２】
方法は、切断後に、一連のペアの部分１８，１９を構成するよう、部分１１，１２，１３，１４のうちの少なくともいくつかの部分を回転させるおよび／または移動させる工程を含む。
【００８３】
好ましくは、部分１１，１２，１３，１４はペアで関連付けるように回転されるおよび／または移動される。
【００８４】
より具体的には、回転させるおよび／または移動させる工程中に、部分は、択一的に、それぞれのペア１８，１９において、第一辺１１ａ，１２ａ，１３ａ，１４ａまたは第二辺１１ｂ，１２ｂ，１３ｂ，１４ｂのどちらかが互いに対向するよう、連結される。
【００８５】
言い換えれば、第一実施形態においては、それぞれのペアにおいて、一方の部分１１，１２，１３，１４の第一辺１１ａ，１２ａ，１３ａ，１４ａが他方の部分の第一辺に向いている（または接触している）。
【００８６】
第二実施形態においては、それぞれのペアにおいて、一方の部分１１，１２，１３，１４の第二辺１１ｂ，１２ｂ，１３ｂ，１４ｂが他方の部分の第二辺に向いている。
【００８７】
第一実施形態においては、回転させるおよび／または移動させる工程を、主として回転と主として移動との両方を用いた種々の方法で実行することができる。
【００８８】
図２ａおよび図２ｂを参照して、回転させるおよび／または移動させる工程は、第一ペア１８の二つの部分を構成するよう、それぞれの第一辺１１ａ，１２ａが互いに向かい合うまたは接触するように、それぞれの第一部分１１と第二部分１２との間における１８０°の相対的な回転を含んでいる。
【００８９】
また、本実施形態においては、回転させるおよび／または移動させる工程は、第二ペア１９の二つの部分を構成するよう、それぞれの第一辺１３ａ，１４ａが互いに向かい合うまたは接触するように、それぞれの第三部分１３と第四部分１４との間における１８０°のさらなる相対的な回転を含んでいる。
【００９０】
「１８０°の相対的な回転」という表現は、それぞれのペア１８，１９において、それぞれの二つの部分の他方に対する回転の合計は、１８０°と等しいことを意味する。
【００９１】
したがって、第一ペア１８においては、回転は、
第二部分１２の角度は静止した状態で、第一部分１１が１８０°回転可能である方法、
第一部分１１の角度は静止した状態で、第二部分１２が１８０°回転可能である方法、
第一部分１１と第二部分１２とが互いに向かって、移動角の合計が１８０°と等しくなるよう、回転可能である方法
のうちの一つで実行される。
【００９２】
同様に、第二ペア１９においては、回転は、
第四部分１４の角度は静止した状態で、第三部分１３が１８０°回転可能である方法、
第三部分１３の角度は静止した状態で、第四部分１４が１８０°回転可能である方法、
第三部分１３と第四部分１４とが互いに向かって、移動角の合計が１８０°と等しくなるよう、回転可能である方法
のうちの一つで実行される。
【００９３】
好ましい実施形態においては、添付図面を参照して、回転させるおよび／または移動させる工程は、第二部分１２を第一部分１１上で反時計回りの方向に回転させて第一ペア１８を形成し、第四部分１４を第三部分１３上で時計回りの方向に回転させて第二ペア１９を形成することを含んでいる。
【００９４】
あるいは図３を参照して、回転させるおよび／または移動させる工程は、第二部分１２を第一部分１１上で反時計回りの方向に回転させて第一ペア１８を形成し、第三部分１３を第四部分１４上で同じ向きに（反時計計回りに）回転させて第二ペア１９を形成して、その後、好ましくは、第一ペア１８と同じものとなるよう、第二ペア１９を１８０°さらに回転させることを含んでいる。
【００９５】
語「時計回りの方向」および「反時計回りの方向」は、添付図面を参照した説明を分かりやすくするために用いたものであって、ウェブおよび／または見る人の実際の位置に応じて本発明の精神の範囲内で逆にすることまたは変更することができることは明らかであろう。
【００９６】
図２ｃに示すさらなる変形態様においては、個々の部分１１，１２，１３，１４は（相対的に）回転しない。
【００９７】
より具体的には、この実施形態において、それぞれの部分１１，１２，１３，１４は、ペア１８，１９の一方の部分または両方の部分を、動作方向「Ｂ」に対して部分１５のうちのそれに対称的な部分へと回転させることなく移動(rigid translation)させた後、接続される。
【００９８】
このように、互いに逆である部分からなる第一ペア１８および第二ペア１９が構成される。
【００９９】
次に、このように得られた第二ペア１９がひっくり返されて、すなわち平面内において１８０°回転されて、第一ペア１８と同じものとすることができる（逆に第一ペアをひっくり返すこともできる）。
【０１００】
ある態様では、第二ペア１９をひっくり返すこと（すなわちさらなる回転）を実行せず、第一ペア１８を第二ペア１９と逆向きにしたまま、両方のペア１８，１９が共通の用品１に配置される。
【０１０１】
好ましくは、図２ａ、図２ｂおよび図２ｃのすべての実施形態において、方法は、それぞれの第一部分１１の第一辺１１ａを第二部分１２の第一辺１２ａと接触させ、それぞれの第三部分１３の第一辺１３ａを第四部分１４の第一辺１４ａと接触させる工程を含んでいる。
【０１０２】
次にまたは同時に、これらの第一辺が、拘束手段２０を用いて互いに固定される。
【０１０３】
この工程によって、第一部分１１の第一辺１１ａが第二部分１２の第一辺１２ａに固定される。
【０１０４】
同様に、第三部分１３の第一辺１３ａが第四部分１４の第一辺１４ａに固定される。
【０１０５】
なお、好ましくは、拘束手段２０は、接着処理材の層によってまたは超音波溶着によって形成されることを記載しておく。
【０１０６】
語「接着処理材(adhesive process material)」は、吸収用品１の生産中に第一辺１１ａ，１２ａ，１３ａ，１４ａが接続されている状態に維持することができるが、用品１の使用時には二つの部分を分離できるような限定的な溶着（シーリング(sealing)）を提供する接着剤を意味するように用いる。
【０１０７】
また、本発明にかかる方法の第二実施形態においては、それぞれのペアにおいて一方の部分１１，１２，１３，１４の第二辺１１ｂ，１２ｂ，１３ｂ，１４ｂが他方の部分の第二辺と向き合っている（または接触している）。第一ペア１８および第二ペア１９の構成は、種々のプロセスで、主として回転および主として移動の両方によって、得ることができる。
【０１０８】
図６ａおよび図６ｂを参照して、回転させるおよび／または移動させる工程は、第一ペア１８の二つの部分を構成するよう、それぞれの第二辺１１ｂ，１２ｂが互いに向かい合うように、それぞれの第一部分１１と第二部分１２との間における１８０°の相対的な回転を含んでいる。
【０１０９】
同様に、回転させるおよび／または移動させる工程は、第二ペア１９の二つの部分を構成するよう、それぞれの第二辺１３ｂ，１４ｂが互いに向かい合うように、それぞれの第三部分１３と第四部分１４との間における１８０°の相対的な回転を含んでいる。
【０１１０】
あるいは、図６ｃを参照して、回転させるおよび／または移動させる工程は、部分１１，１２，１３，１４を回転させることなく移動する工程を含む。
【０１１１】
より具体的には、それぞれの部分１１，１２，１３，１４は、一のペア１８，１９の一方の部分または両方の部分を、動作方向「Ｂ」に対して部分１５のうちのそれに対称的な部分へと回転させることなく移動させた後、向かい合う（すなわち、動作方向「Ｂ」に対して交差する方向に整列させる）。
【０１１２】
吸収用品１の所望の形状に応じて、第二ペア１９の二つの部分を第一ペア１８と同じものとすることを目的として１８０°回転させる（あるいは逆に第一ペアの二つの部分を第二ペアと同じものとすることを目的として１８０°回転させる）ことができる、または第二ペアの二つの部分を第一ペアと反対の向きに維持することもできる。
【０１１３】
なお、第一実施形態とは異なり、ここで説明する第二実施形態においては、二つのペアの部分１８，１９は、（動作方向「Ｂ」に対して交差する方向に）互いに整列されるとともに所定の間隔「ｐ」を空けて配置される二つの部分１１，１２，１３，１４によって構成されることを記載しておく。
【０１１４】
好ましい実施形態においては、本方法は、共通の中間軸（動作方向「Ｂ」と平行）に沿って第一ペア１８の部分と第二ペア１９の部分との間の整列を行う工程を含む。
【０１１５】
好ましくは、この工程は、第一ペア１８の部分および／または第二ペア１９の部分を、動作方向「Ｂ」に対して（つまり第一ウェブ１０の延設の長手方向軸に対して）垂直な方向に沿って移動させることによって実行される。
【０１１６】
回転させるおよび／または移動させる工程の後に、本方法は、それぞれのペア１８，１９の部分を第二の材料ウェブ２１に接続することを含む。
【０１１７】
なお、ペア１８，１９の部分を形成しそのまま直接個々の部分１１，１２，１３，１４を第二ウェブ２１に貼り付ける場合には、ペア１８，１９の部分を形成し、次に第二ウェブ２１に貼り付けることができる（例えば図６ａ、図６ｂ、図６ｃに示す実施形態において）ことを記載しておく。
【０１１８】
第二ウェブ２１は、その延設の方向に平行な移動方向に沿って順に供給される。第二ウェブ２１は、互いに反対側にある第一面２１ａおよび第二面２１ｂを有する（つまり、第二面２１ｂは第一面２１ａと対向している）。
【０１１９】
第一実施形態に関しては、部分１１，１２，１３，１４は第一辺１１ａ，１２ａ，１３ａ，１４ａにおいて互いに接続される、好ましくは、（予め構成された）ペア１８，１９の部分は、第二ウェブの（使用時には外側面となる）第一面２１ａ上に載置される。
【０１２０】
この載置は、それぞれのペア１８，１９の部分の第二辺１１ｂ，１２ｂ，１３ｂ，１４ｂが第二ウェブ２１に対して横方向に突出する（すなわち、それらは縁部を越えて延設される）よう、行われる。
【０１２１】
これに関して、本方法は、次に（または同時に）第二辺１１ｂ，１２ｂ，１３ｂ，１４ｂを第二ウェブ２１の第二面２１ｂ上に、それらが接触するように折り畳む工程を含む。
【０１２２】
次に第二辺１１ｂ，１２ｂ，１３ｂ，１４ｂが第二ウェブ２１の第二面２１ｂに連結される（つまり固定される）。固定は、好ましくは、接着剤の層を用いてまたは超音波溶着によって行われる。
【０１２３】
また、好ましくは、同方法は、吸収性衛生用品１のフラップ６を形成するよう設計された材料の第四ウェブ（図示せず）を用いて行われる。
【０１２４】
この第四ウェブは、それぞれのペア２３，２４を構成するために第一ウェブ１０の部分１１，１２，１３，１４と同じように回転されるおよび／または移動されるそれぞれの部分を形成するよう、切断される。
【０１２５】
好ましくは、第四ウェブのペア２３，２４は、第一ペア１８および第二ペア１９に対して反対の向きである。
【０１２６】
より好ましくは、ペア２３，２４は、第一ペア１８および第二ペア１９の部分の斜面に面する斜辺を有する。
【０１２７】
このように、第一１８ペアおよび第二ペア１９を第二ウェブ２１に貼り付ける前にまたは同時にまたは後に、ペア２３，２４もまた第二ウェブに貼り付けられて固定される。
【０１２８】
したがって、好ましくは、第二ウェブ２１の延設に沿って、交互に向きを変える一連(alternating sequence)の第一ペア１８、ペア２３、第二ペア１９およびペア２４が構成される（図５）。
【０１２９】
なお、この実施形態（図５）においては、第二ウェブ２１の第二面２１ｂが第三ウェブ２２に接続されるよう設計されていることを記載しておく。
【０１３０】
吸収用品１において、第二ウェブ２１は「トップシート」として知られており、不織布で構成されている。
【０１３１】
一方、第三ウェブ２２は「バックシート」として知られており、非浸透性材料から構成される。
【０１３２】
図５を参照して、方法は、好ましくは、第三の連続的なウェブ２２を第二ウェブ２１の第二面２１ｂに接触させて連結することを含む。
【０１３３】
この工程は、各部分の第二辺１１ｂ，１２ｂ，１３ｂ，１４ｂを第二面２１ｂに連結する工程の後に行われる。
【０１３４】
なお、好ましくは、方法はまた、少なくとも吸収材料（化合物）の部分を第一ウェブ２１と第二ウェブ２２との間に導入することを含むことを記載しておく。
【０１３５】
第二実施形態においては、部分１１，１２，１３，１４は第二辺１１ｂ，１２ｂ，１３ｂ，１４ｂで互いに向かい合っており、方法は好ましくは、第二辺を第二ウェブ２１に、その長手方向端縁部の近傍において、固定することを含んでいる。
【０１３６】
その場合に、第二ウェブ２１を、区別することなく、非浸透性（バックシート）とすることができる、または不織布等から構成する（トップシート）こともできる。
【０１３７】
本発明により、先に記載した目的が達成され、大きな利点が得られる。
【０１３８】
実際に、フラップを構成するための弾性材料のウェブを互いに分離された一連の四つの部分へと切断する方法の実行により、フラップ（すなわち、おむつの前側または後側の少なくとも一ペアのフラップ）を単一の連続的なウェブから完成させることができ、不要品または廃棄物を最小限にすることができる。
【先行技術文献】
【特許文献】
【０１３９】
【特許文献１】欧州特許出願公開第１９４１８５３号
【特許文献２】欧州特許出願公開第１９９４９１９号
【図１】
2017528192.tif 000003
【図２】
2017528192.tif 000004
【図３】
2017528192.tif 000005
【図４ａ】
2017528192.tif 000006
【図４ｂ】
2017528192.tif 000007
【図５】
2017528192.tif 000008
【図６】
2017528192.tif 000009
【図７】
2017528192.tif 000010
【図８】
2017528192.tif 000011
【図９】
2017528192.tif 000012
【図１０】
2017528192.tif 000013
【国際調査報告】
2017528192.tif 000014
2017528192.tif 000015